(57)【要約】【課題】配管を浴室壁の裏面の近傍に配置した場合にも、配管の損傷を抑制可能な浴室ユニットを提供する。【解決手段】建築躯体の内部に設置される浴室ユニットであって、浴室空間側を向く表面と、前記建築躯体の側壁と対向する裏面と、を有し、前記建築躯体の前記側壁と前記裏面との間の空間に、給水又は給湯を行うための配管を配置可能とする浴室壁と、前記浴室壁の前記表面に取り付けられ、前記配管と連通する水栓装置と、前記浴室壁と前記配管との間に設けられる保護部材と、を備え、前記保護部材のドリルに対する耐性は、前記浴室壁のドリルに対する耐性よりも高く、前記保護部材は、前記浴室壁の前記表面から前記配管に向かって挿入されたドリルの前記配管への干渉を抑制することを特徴とする浴室ユニットである。【選択図】図１
2019005327.tif 000002
【特許請求の範囲】
【請求項１】
建築躯体の内部に設置される浴室ユニットであって、
浴室空間側を向く表面と、前記建築躯体の側壁と対向する裏面と、を有し、前記建築躯体の前記側壁と前記裏面との間の空間に、給水又は給湯を行うための配管を配置可能とする浴室壁と、
前記浴室壁の前記表面に取り付けられ、前記配管と連通する水栓装置と、
前記浴室壁と前記配管との間に設けられる保護部材と、
を備え、
前記保護部材のドリルに対する耐性は、前記浴室壁のドリルに対する耐性よりも高く、
前記保護部材は、前記浴室壁の前記表面から前記配管に向かって挿入されたドリルの前記配管への干渉を抑制することを特徴とする浴室ユニット。
【請求項２】
前記浴室壁の前記裏面と前記保護部材との間には、空隙が設けられていることを特徴とする請求項１記載の浴室ユニット。
【請求項３】
前記保護部材は、前記浴室壁の前記表面から前記配管に向かって挿入された前記ドリルの先端を、前記配管から離間する方向にガイド可能であることを特徴とする請求項１又は２に記載の浴室ユニット。
【請求項４】
前記保護部材は、前記浴室壁の前記裏面と対向し、前記配管の幅方向の中央側から前記配管の幅方向の一端側に向かうに従って、前記浴室壁の前記裏面との間の距離が長くなるように傾斜した傾斜面を有することを特徴とする請求項３記載の浴室ユニット。
【請求項５】
前記浴室壁の前記表面に対して垂直な線と前記傾斜面との成す角度の劣角は、５９°以下であることを特徴とする請求項４記載の浴室ユニット。
【請求項６】
前記配管の幅方向の中央と前記保護部材との間には、空隙が設けられていることを特徴とする請求項１〜５のいずれか１つに記載の浴室ユニット。
【請求項７】
前記浴室壁を取り付けるためのフレームと、
前記配管と交差する方向に延び、両端を前記フレームに取り付けられ、前記保護部材を支持する支持部材と、
をさらに備えたことを特徴とする請求項１〜６のいずれか１つに記載の浴室ユニット。
【発明の詳細な説明】
【技術分野】
【０００１】
本発明の態様は、一般的に、浴室ユニットに関する。
【背景技術】
【０００２】
浴槽や浴室壁などを組み立てて建築躯体に浴室を形成する浴室ユニットが知られている。建築躯体の大きさには限りがあるため、浴室ユニットでは、限られた大きさの建築躯体に対して、建築躯体と浴室壁の裏面との間の空間がなるべく狭くなるように、浴室ユニットを組み立てる、もしくは組み入れることが行われている。これにより、利用者の利用する浴室空間を、なるべく広くすることができる。
【０００３】
浴室には、水を吐出するための水栓装置が必須である。水栓装置は、一般的に浴室壁の表面に取り付けられる。水栓装置に水を供給する配管（給水管又は給湯管）は、浴室壁の裏面と建築躯体との間に設けられる。この際、上述のように、建築躯体と浴室壁の裏面との間の空間を狭くし、浴室空間を広くするためには、配管を浴室壁の裏面の近傍に配置する必要がある。
【０００４】
しかしながら、配管を浴室壁の裏面の近傍に配置すると、施工時などに誤って配管を傷付けてしまう可能性がある。例えば、鏡や照明などの浴室機能部材を浴室壁に取り付ける際には、浴室壁にドリルで下孔を開け、この下孔にネジなどを挿入し、螺合させることで、浴室機能部材が浴室壁に取り付けられる。このため、水栓装置を浴室壁に取り付けた後に、浴室機能部材を浴室壁に取り付ける一般的な施工手順では、配管が浴室壁の裏面の近傍に配置された状態で、浴室壁にドリルで下孔を開けることになるため、施工者などが誤ってドリルで配管を傷付けてしまう可能性が生じる。
【０００５】
このため、浴室ユニットでは、配管を浴室壁の裏面の近傍に配置した場合にも、配管の損傷を抑制できるようにすることが望まれる。
【先行技術文献】
【特許文献】
【０００６】
【特許文献１】特開２０００−２９１０８４号公報
【発明の概要】
【発明が解決しようとする課題】
【０００７】
本発明は、かかる課題の認識に基づいてなされたものであり、配管を浴室壁の裏面の近傍に配置した場合にも、配管の損傷を抑制可能な浴室ユニットを提供することを目的とする。
【課題を解決するための手段】
【０００８】
第１の発明は、建築躯体の内部に設置される浴室ユニットであって、浴室空間側を向く表面と、前記建築躯体の側壁と対向する裏面と、を有し、前記建築躯体の前記側壁と前記裏面との間の空間に、給水又は給湯を行うための配管を配置可能とする浴室壁と、前記浴室壁の前記表面に取り付けられ、前記配管と連通する水栓装置と、前記浴室壁と前記配管との間に設けられる保護部材と、を備え、前記保護部材のドリルに対する耐性は、前記浴室壁のドリルに対する耐性よりも高く、前記保護部材は、前記浴室壁の前記表面から前記配管に向かって挿入されたドリルの前記配管への干渉を抑制することを特徴とする浴室ユニットである。
【０００９】
この浴室ユニットによれば、ドリルによる配管への干渉を保護部材によって抑制することができるため、浴室に浴室機能部材を取り付ける際の浴室壁に下孔を開ける工程においても、施工者などが誤ってドリルで配管を傷付けてしまうことを抑制することができる。
【００１０】
第２の発明は、第１の発明において、前記浴室壁の前記裏面と前記保護部材との間には、空隙が設けられていることを特徴とする浴室ユニットである。
【００１１】
この浴室ユニットによれば、保護部材の振動などが浴室壁に伝わることに起因する音鳴りを抑制することができる。また、ドリルの先端が浴室壁を突き抜けた後、ドリルの先端は、空隙に入り、そして保護部材に衝突することになる。このため、ドリルを入れる抵抗の変化を施工者などに感じさせることができ、ドリルの先端が、保護部材まで到達してしまうことを抑制することができる。施工者などが誤ってドリルで配管を傷付けてしまうことを、より確実に抑制することができる。
【００１２】
第３の発明は、第１又は第２の発明において、前記保護部材は、前記浴室壁の前記表面から前記配管に向かって挿入された前記ドリルの先端を、前記配管から離間する方向にガイド可能であることを特徴とする浴室ユニットである。
【００１３】
この浴室ユニットによれば、保護部材が、配管から離間する方向にドリルの先端をガイドするので、ドリルが保護部材を貫通して配管を傷付けてしまうことを、より確実に抑制することができる。
【００１４】
第４の発明は、第３の発明において、前記保護部材は、前記浴室壁の前記裏面と対向し、前記配管の幅方向の中央側から前記配管の幅方向の一端側に向かうに従って、前記浴室壁の前記裏面との間の距離が長くなるように傾斜した傾斜面を有することを特徴とする浴室ユニットである。
【００１５】
この浴室ユニットによれば、ドリルの先端を傾斜面で滑らせることにより、配管から離間する方向にドリルの先端をガイドすることができる。これにより、ドリルが保護部材を貫通して配管を傷付けてしまうことを、簡単な構成で抑制することができる。
【００１６】
第５の発明は、第４の発明において、前記浴室壁の前記表面に対して垂直な線と前記傾斜面との成す角度の劣角は、５９°以下であることを特徴とする浴室ユニットである。
【００１７】
この浴室ユニットによれば、１１８°の先端角度を有する一般的なドリルの挿入時に、ドリルの先端の中心よりも先に外周の部分を保護部材に接触させることができ、より保護部材の傾斜面に沿ってドリルの先端を滑らせ易くすることができる。従って、一般的なドリルによる配管の損傷をより確実に抑制することができる。
【００１８】
第６の発明は、第１〜第５のいずれか１つの発明において、前記配管の幅方向の中央と前記保護部材との間には、空隙が設けられていることを特徴とする浴室ユニットである。
【００１９】
この浴室ユニットによれば、ドリルの先端が保護部材を貫通してしまった場合に、ドリルの先端が空隙に入ることになる。このため、ドリルを入れる抵抗の変化を施工者などに感じさせることができ、ドリルの先端が、保護部材を貫通して配管まで到達してしまうことを抑制することができる。施工者などが誤ってドリルで配管を傷付けてしまうことを、より確実に抑制することができる。
【００２０】
第７の発明は、第１〜第６のいずれか１つの発明において、前記浴室壁を取り付けるためのフレームと、前記配管と交差する方向に延び、両端を前記フレームに取り付けられ、前記保護部材を支持する支持部材と、をさらに備えたことを特徴とする浴室ユニットである。
【００２１】
この浴室ユニットによれば、フレームを横切るように取り付けられた支持部材に、保護部材が支持される。このため、保護部材は、支持部材に対する取付位置を変更するだけで位置調整が可能であり、配管との位置調整を容易に行うことができる。また、浴室壁の裏面に対する保護部材の向きを意図した状態で規制することができる。さらには、配管を保護部材に対して固定し易くすることができる。
【発明の効果】
【００２２】
本発明の態様によれば、配管を浴室壁の裏面の近傍に配置した場合にも、配管の損傷を抑制可能な浴室ユニットが提供される。
【図面の簡単な説明】
【００２３】
【図１】実施形態に係る浴室ユニットを模式的に表す正面図である。
【図２】実施形態に係る浴室ユニットの一部を省略した状態を模式的に表す正面図である。
【図３】実施形態に係る浴室ユニットの一部を模式的に表す平面図である。
【図４】図４（ａ）及び図４（ｂ）は、実施形態に係る保護部材を表す部分断面図である。
【図５】実施形態に係る保護部材を表す部分斜視図である。
【図６】図６（ａ）〜図６（ｄ）は、実施形態に係る保護部材の変形例を表す部分断面図である。
【発明を実施するための形態】
【００２４】
以下、実施形態について図面を参照しつつ説明する。なお、各図面中、同様の構成要素には同一の符号を付して詳細な説明は適宜省略する。  
図１は、実施形態に係る浴室ユニットを模式的に表す正面図である。  
図２は、実施形態に係る浴室ユニットの一部を省略した状態を模式的に表す正面図である。  
図３は、実施形態に係る浴室ユニットの一部を模式的に表す平面図である。  
図１〜図３に表したように、浴室ユニット１０は、浴室壁１２と、水栓装置１４と、保護部材１６と、を備える。浴室ユニット１０は、建築躯体２の内部に設置される。浴室ユニット１０は、建築躯体２の内部に組み立てられる、又は、建築躯体２の内部に組み入れられることにより、建築躯体２の内部に浴室を形成する。
【００２５】
浴室ユニット１０は、例えば、フレーム２０、支持部材２２、浴槽２４、洗い場床２６、及び天井パネル２８などを、さらに備える。浴室ユニット１０は、これらの部材をユニット化した、いわゆるユニットバスやシステムバスである。また、浴室ユニット１０は、例えば、ミラー３０などの浴室機能部材を、さらに備える。浴室機能部材は、ミラー３０に限るものではない。浴室ユニット１０は、例えば、浴室内を照らす照明装置、洗面器などを載置するためのカウンタ、シャワーヘッドを保持するためのシャワーハンガー、身体を支持して浴室内での移動を補助するための手摺りなどを、浴室機能部材として備えてもよい。
【００２６】
浴室壁１２は、浴室の側壁を形成する。浴室壁１２は、換言すれば、壁パネルである。浴室は、一般的に略矩形状である。浴室ユニット１０は、例えば、浴室の四方を囲む複数の浴室壁１２を有する。図１に表したように、浴室の１つの側壁が、複数枚の浴室壁１２（この例では２枚）で形成される場合もある。
【００２７】
図２は、浴室壁１２を取り外した状態を表している。換言すれば、図２は、浴室壁１２や水栓装置１４などを取り付ける前の状態である。フレーム２０は、浴室の形状に対応した略矩形の枠状である。フレーム２０は、浴室壁１２や天井パネル２８などの各部の取り付けに用いられる。浴室壁１２の外形形状は、フレーム２０の枠形状に対応している。浴室壁１２は、例えば、四辺をフレーム２０に支持されることにより、フレーム２０に取り付けられる。
【００２８】
浴室壁１２は、浴室空間ＢＲ側を向く表面１２ａと、建築躯体２の側壁２ｓと対向する裏面１２ｂと、を有する。浴室壁１２は、建築躯体２の側壁２ｓと裏面１２ｂとの間の空間ＳＰに、配管４、６を配置可能とする。
【００２９】
配管４は、給水を行うための配管である。配管４は、換言すれば、給水管である。配管６は、給湯を行うための配管である。配管６は、換言すれば、給湯管である。空間ＳＰに配置される配管は、給水又は給湯を行うための任意の配管でよい。この例では、２つの配管４、６を空間ＳＰに配置しているが、空間ＳＰに配置する配管の数は、１つでもよいし、３つ以上でもよい。配管４、６は、建築躯体２に設けられた配管でもよいし、浴室ユニット１０に設けられ、建築躯体２の配管と接続される配管でもよい。
【００３０】
建築躯体２の側壁２ｓと浴室壁１２の裏面１２ｂとの間の距離Ｌ１は、例えば、５ｃｍ以上１５ｃｍ以下である。これにより、空間ＳＰの幅を狭くし、浴室空間ＢＲを広くすることができる。このため、配管４、６は、浴室壁１２の裏面１２ｂの近傍に配置される。配管４、６と裏面１２ｂとの間の距離Ｌ２は、例えば、０．５ｃｍ以上２ｃｍ以下である。本願明細書において、「裏面１２ｂの近傍」とは、距離Ｌ２が、上記の範囲にあることをいう。
【００３１】
水栓装置１４は、浴室壁１２の表面１２ａに取り付けられる。水栓装置１４は、例えば、浴室ユニット１０に含まれる複数の浴室壁１２のうち、洗い場床２６に隣接する１つの浴室壁１２に取り付けられる。
【００３２】
水栓装置１４は、配管４、６と連通する。水栓装置１４は、例えば、吐水部１４ａと、流量調節部１４ｂと、温度調節部１４ｃと、を有する。吐水部１４ａは、配管４から供給された水又は配管６から供給されたお湯を吐水する。水栓装置１４は、配管４から供給された水及び配管６から供給されたお湯を混合して吐水部１４ａから吐水する。流量調節部１４ｂは、吐水部１４ａからの吐水及び止水を切り替えるとともに、吐水部１４ａから吐水される水又はお湯の流量を調節する。温度調節部１４ｃは、吐水部１４ａから吐水される水又はお湯の温度の調節に用いられる。水栓装置１４は、温度調節部１４ｃの操作に応じて、配管４から供給された水及び配管６から供給されたお湯の混合比を切り替える。これにより、水栓装置１４では、流量調節部１４ｂ及び温度調節部１４ｃの操作に応じた流量及び温度の水又はお湯が、吐水部１４ａから吐水される。
【００３３】
配管４、６は、例えば、上下方向に延びる。この例では、配管４、６は、水栓装置１４から上方に向かって延びている。配管４、６は、例えば、水栓装置１４から下方に向かって延びてよい。配管４、６の延びる方向は、上下方向に限ることなく、左右方向でもよい。配管４、６の延びる方向は、任意の方向でよい。配管４、６の延びる方向は、例えば、左右方向から上下方向などのように、途中で変化してもよい。
【００３４】
保護部材１６は、配管４、６のそれぞれに設けられる。従って、この例において、浴室ユニット１０は、配管４、６に対応する２つの保護部材１６を有する。各保護部材１６は、浴室壁１２と各配管４、６との間に設けられる。
【００３５】
保護部材１６のドリルに対する耐性は、浴室壁１２のドリルに対する耐性よりも高い。より詳しくは、表面１２ａに対して垂直に挿入されたドリルに対する保護部材１６の耐性は、表面１２ａに対して垂直に挿入されたドリルに対する浴室壁１２の耐性よりも高い。保護部材１６は、例えば、剛体である。これにより、保護部材１６は、浴室壁１２の表面１２ａから配管４、６に向かって挿入されたドリルによる配管４、６への干渉を抑制する。保護部材１６は、表面１２ａから挿入されたドリルの先端が配管４、６に接触し、配管４、６を傷付けてしまうことを抑制する。
【００３６】
ここで、「ドリルに対する耐性が高い」状態とは、例えば、押圧する力や回転数などを同じ条件にしてドリルで孔を開けようとした時に、貫通するまでに要する時間が長い状態である。あるいは、同じ条件では、孔を開けることができない状態である。換言すれば、保護部材１６の耐貫通性は、浴室壁１２の耐貫通性よりも高い。
【００３７】
浴室壁１２には、例えば、石膏ボードと鋼板と樹脂シートとの積層体が用いられる。一方、保護部材１６には、鉄、アルミニウム、あるいはステンレスなどの金属板が用いられる。保護部材１６は、金属製である。保護部材１６には、例えば、浴室壁１２よりも硬い材料が用いられる。このように、保護部材１６の材質や厚さなどを設定することにより、上記のように、保護部材１６のドリルに対する耐性を、浴室壁１２のドリルに対する耐性よりも高くすることができる。また、保護部材１６は、ドリルのみならず、例えば、ネジや釘などの配管４、６への干渉も抑制することができる。
【００３８】
各保護部材１６は、配管４、６に沿って延びる。この例では、配管４、６の上方の一部が、保護部材１６に覆われていない。これに限ることなく、各保護部材１６は、配管４、６の全体を覆ってもよい。
【００３９】
例えば、この例では、ミラー３０が、水栓装置１４の上方において浴室壁１２の表面１２ａに取り付けられ、表面１２ａに対して垂直な方向において、配管４、６と重なっている。このような場合には、図１に表したように、配管４、６のうちのミラー３０などの浴室機能部材と重なる領域の全体を保護部材１６で覆うことが好ましい。これにより、浴室機能部材の取り付けにおいてドリルで浴室壁１２に下孔を開ける際に、ドリルが配管４、６に干渉してしまうことを抑制することができる。但し、各保護部材１６は、配管４、６の全体を覆うことが好ましい。これにより、ドリルによる配管４、６への干渉をより確実に抑制することができる。
【００４０】
支持部材２２は、配管４、６と交差する方向に延びる。この例では、配管４、６が、上下方向に延び、支持部材２２が、左右方向に延びている。支持部材２２は、例えば、配管４、６と直交する方向に延びる。例えば、配管４、６が左右方向に延びる場合には、支持部材２２は、上下方向に延びる。但し、支持部材２２の延びる方向は、配管４、６と交差する任意の方向でよい。
【００４１】
支持部材２２の両端は、フレーム２０に取り付けられている。支持部材２２は、例えば、フレーム２０を横渡しするように取り付けられる。支持部材２２は、保護部材１６を支持する。浴室ユニット１０は、例えば、２つの支持部材２２を有する。一方の支持部材２２は、配管４、６に沿って延びる長尺状の保護部材１６の一端を支持する。他方の支持部材２２は、保護部材１６の他端を支持する。これにより、各保護部材１６が、支持部材２２を介してフレーム２０に取り付けられる。なお、支持部材２２の数は、１つでもよいし、３つ以上でもよい。例えば、長尺状の支持部材２２の中央付近に３つ目の支持部材２２を設けてもよい。これにより、長尺状の保護部材１６をより強固に取り付けることができる。
【００４２】
図４（ａ）及び図４（ｂ）は、実施形態に係る保護部材を表す部分断面図である。  
図５は、実施形態に係る保護部材を表す部分斜視図である。  
図４及び図５では、各配管４、６及び各保護部材１６のうち、配管４及びこれに対応する保護部材１６を拡大して表している。以下では、配管４及びこれに対応する保護部材１６を例に説明を行う。配管６及びこれに対応する保護部材１６は、配管４及びこれに対応する保護部材１６と実質的に同じであるから、これらについての詳細な説明は省略する。
【００４３】
図４及び図５に表したように、保護部材１６は、２つに折り曲げられた板状であり、第１板部４１と、第２板部４２と、を有する。第２板部４２は、第１板部４１の左右方向の一端に接続され、第１板部４１と交差する方向に延びる。第１板部４１と第２板部４２との成す角度は、例えば、略９０°である。すなわち、保護部材１６の形状は、略９０°に折り曲げられた板状である。但し、第１板部４１と第２板部４２との成す角度は、上記に限定されるものではない。
【００４４】
第１板部４１及び第２板部４２は、第１板部４１と第２板部４２との成す角度の大きい優角側を向く側面Ｓ１１、Ｓ２１と、第１板部４１と第２板部４２との成す角度の小さい劣角側を向く側面Ｓ１２、Ｓ２２と、を有する。以下では、側面Ｓ１１、Ｓ２１の向く側を外側と表現し、側面Ｓ１２、Ｓ２２の向く側を内側と表現する場合がある。
【００４５】
第１板部４１の上下方向の一端には、側面Ｓ１１から外側に向かって延びる突片４１ａが設けられている。第２板部４２の上下方向の一端には、側面Ｓ２１から外側に向かって延びる突片４２ａが設けられている。突片４１ａ、４２ａは、例えば、第１板部４１の一端、及び第２板部４２の一端を略９０°折り曲げることによって形成される。
【００４６】
図５に表したように、保護部材１６は、フレーム２０に対して横渡しするように取り付けられた支持部材２２に、突片４１ａ、４２ａを当接させ、突片４１ａ、４２ａを支持部材２２にネジ止めすることにより、支持部材２２に取り付けられる。図示は省略するが、保護部材１６の他端側（上端側）の構成も、図５に表した保護部材１６の一端側（下端側）の構成と同様である。これにより、保護部材１６は、２つの支持部材２２を介してフレーム２０に取り付けられる。保護部材１６の取付構造は、上記に限ることなく、任意の構造でよい。
【００４７】
保護部材１６は、一対の側端部１６ａ、１６ｂと、角部１６ｔと、を有する。側端部１６ａは、保護部材１６の幅方向の一方の端部である。側端部１６ｂは、保護部材１６の幅方向の他方の端部である。ここで、「幅方向」とは、配管４の延びる方向と直交し、かつ浴室壁１２の表面１２ａと平行な方向である。この例では、配管４が上下方向に延びている。この場合、幅方向は、左右方向である。側端部１６ａは、換言すれば、第１板部４１の第２板部４２と反対側の端部である。側端部１６ｂは、換言すれば、第２板部４２の第１板部４１と反対側の端部である。
【００４８】
角部１６ｔは、第１板部４１と第２板部４２との接続部である。この例において、第２板部４２の形状は、第１板部４１と線対称な実質的に同じ形状である。このため、角部１６ｔは、幅方向の略中央に位置する。なお、第２板部４２の形状は、第１板部４１の形状と異なっていてもよい。角部１６ｔは、保護部材１６の幅方向の中央からずれた位置に配置されていてもよい。また、角部１６ｔは、例えば、平面状又は曲面状の面取りを有していてもよい。
【００４９】
保護部材１６は、角部１６ｔを浴室壁１２の裏面１２ｂ側に向けた状態で支持部材２２に取り付けられる。より詳しくは、保護部材１６は、角部１６ｔと裏面１２ｂとの間の距離が、側端部１６ａと裏面１２ｂとの間の距離及び側端部１６ｂと裏面１２ｂとの間の距離よりも短くなる向きで、支持部材２２に取り付けられる。換言すれば、保護部材１６は、外側の側面Ｓ１１、Ｓ２１を裏面１２ｂ側に向けた状態で支持部材２２に取り付けられる。
【００５０】
上記のように取り付けられることにより、保護部材１６の側面Ｓ１１及びＳ２１は、浴室壁１２の表面１２ａに対して傾斜した傾斜面となる。側面Ｓ１１は、浴室壁１２の裏面１２ｂと対向し、配管４の幅方向の中央側から配管４の幅方向の一端側に向かうに従って、浴室壁１２の裏面１２ｂとの間の距離が長くなるように傾斜した傾斜面である。側面Ｓ２１は、浴室壁１２の裏面１２ｂと対向し、配管４の幅方向の中央側から配管４の幅方向の他端側に向かうに従って、浴室壁１２の裏面１２ｂとの間の距離が長くなるように傾斜した傾斜面である。
【００５１】
上記のように、この例では、第２板部４２の形状が、第１板部４１と実質的に同じであり、角部１６ｔが、幅方向の略中央に位置している。保護部材１６は、表面１２ａに対して垂直な方向において、角部１６ｔが配管４の幅方向の中央と重なるように配置される。従って、この場合には、配管４の幅方向の中央に対し、側面Ｓ１１、Ｓ２１が両側に傾斜した形となる。例えば、第２板部４２の長さが、第１板部４１の長さと異なる場合などには、角部１６ｔを配管４の幅方向の中央に対してずらして配置してもよい。保護部材１６は、配管４の幅方向の中央側から配管４の幅方向の少なくとも一端側に向かうに従って、裏面１２ｂとの間の距離が長くなるように傾斜した傾斜面を有していればよい。
【００５２】
このように、側面Ｓ１１、Ｓ２１を傾斜面とすることにより、図４（ｂ）に表したように、浴室壁１２の表面１２ａから挿入されたドリルＤＲの先端ＤＲａを、傾斜面である側面Ｓ１１、Ｓ２１で滑らせることができる。すなわち、配管４から幅方向に離間するように、ドリルＤＲの先端ＤＲａをガイドすることができる。
【００５３】
浴室壁１２の表面１２ａに対して垂直な線と側面Ｓ１１（Ｓ２１）との成す角度の劣角θは、５９°以下である。この例において、保護部材１６は、略９０°に折り曲げた板状であるから、劣角θは、略４５°である。
【００５４】
ドリルＤＲの先端ＤＲａの角度αは、一般に略１１８°である。従って、側面Ｓ１１、Ｓ２１の劣角θを１１８°の半分の５９°以下にする。これにより、ドリルＤＲの先端ＤＲａが、側面Ｓ１１、Ｓ２１に接触してしまうことを抑制することができる。また、劣角θは、３０°以上であることが好ましい。これにより、例えば、側縁Ｓ１１と側面Ｓ２１との成す角度が鋭角になり過ぎ、表面１２ａに対して垂直な方向（例えば前後方向）における保護部材１６の長さが、過度に長くなってしまうことを抑制することができる。劣角θは、例えば、３０°以上５９°以下である。
【００５５】
浴室壁１２の裏面１２ｂと保護部材１６との間には、空隙ＡＧ１が設けられている。空隙ＡＧ１は、必ずしも設けられていなくてもよい。保護部材１６は、裏面１２ｂに接していてもよい。
【００５６】
配管４の幅方向の中央と保護部材１６との間には、空隙ＡＧ２が設けられている。また、この例では、表面１２ａに対して垂直な方向において、保護部材１６の全体が、配管４と離間している。保護部材１６は、配管４に接していない。空隙ＡＧ２は、少なくとも配管４の幅方向の中央付近に設けられていればよい。保護部材１６は、配管４の幅方向の中央付近に空隙ＡＧ２を設けつつ、配管４の幅方向の両端付近で配管４に接していてもよい。例えば、結束バンドなどの固定具を用いて配管４を保護部材１６に固定する場合などには、配管４の幅方向の中央付近に空隙ＡＧ２を設けつつ、配管４の幅方向の両端付近で保護部材１６を配管４に接触させることが好ましい。これにより、配管４をより強固に保護部材１６に固定することができる。但し、空隙ＡＧ２は、必ずしも設けられていなくてもよい。保護部材１６は、配管４の幅方向の中央において配管４に接していてもよい。
【００５７】
以上、説明したように、本実施形態に係る浴室ユニット１０によれば、ドリルＤＲによる配管４、６への干渉を各保護部材１６によって抑制することができる。このため、浴室ユニット１０にミラー３０などの浴室機能部材を取り付ける際の、浴室壁１２に下孔を開ける工程においても、施工者などが誤ってドリルＤＲで配管４、６を傷付けてしまうことを抑制することができる。
【００５８】
また、浴室ユニット１０では、浴室壁１２の裏面１２ｂと保護部材１６との間に、空隙ＡＧ１が設けられている。これにより、例えば、水栓装置の開閉に伴う水圧変化によって生じる配管４、６や保護部材１６の振動などが浴室壁１２に伝わることに起因する音鳴りを抑制することができる。また、ドリルＤＲの先端ＤＲａが浴室壁１２を突き抜けた後、ドリルＤＲの先端ＤＲａは、空隙ＡＧ１に入り、そして保護部材１６に衝突することになる。このため、ドリルＤＲを入れる抵抗の変化を施工者などに感じさせることができ、ドリルＤＲの先端ＤＲａが、保護部材１６まで到達してしまうことを抑制することができる。施工者などが誤ってドリルＤＲで配管４、６を傷付けてしまうことを、より確実に抑制することができる。
【００５９】
また、浴室ユニット１０では、保護部材１６が、浴室壁１２の表面１２ａから配管４、６に向かって挿入されたドリルＤＲの先端ＤＲａを、配管４、６から離間する方向にガイド可能である。これにより、ドリルＤＲが保護部材１６を貫通して配管４、６を傷付けてしまうことを、より確実に抑制することができる。
【００６０】
また、浴室ユニット１０では、保護部材１６が、浴室壁１２の裏面１２ｂと対向し、配管４、６の幅方向の中央側から配管４、６の幅方向の一端側に向かうに従って、浴室壁１２の裏面１２ｂとの間の距離が長くなるように傾斜した傾斜面である側面Ｓ１１、Ｓ２１を有している。これにより、ドリルＤＲの先端ＤＲａを側面Ｓ１１、Ｓ２１で滑らせ、配管４、６から離間する方向にドリルＤＲの先端ＤＲａをガイドすることができる。これにより、ドリルＤＲが保護部材１６を貫通して配管４、６を傷付けてしまうことを、簡単な構成で抑制することができる。
【００６１】
また、浴室ユニット１０では、浴室壁１２の表面１２ａに対して垂直な線と側面Ｓ１１、Ｓ２１との成す角度の劣角θが、５９°以下である。これにより、例えば、１１８°の先端角度を有する一般的なドリルＤＲの挿入時に、ドリルＤＲの先端ＤＲａの中心よりも先に外周の部分を保護部材１６に接触させることができ、より保護部材１６の側面Ｓ１１、Ｓ２１に沿ってドリルＤＲの先端ＤＲａを滑らせ易くすることができる。従って、一般的なドリルＤＲによる配管４、６の損傷をより確実に抑制することができる。
【００６２】
また、浴室ユニット１０では、配管４、６の幅方向の中央と保護部材１６との間に、空隙ＡＧ２が設けられている。これにより、ドリルＤＲの先端ＤＲａが保護部材１６を貫通してしまった場合に、ドリルＤＲの先端ＤＲａが空隙ＡＧ２に入ることになる。このため、ドリルＤＲを入れる抵抗の変化を施工者などに感じさせることができ、ドリルＤＲの先端ＤＲａが、保護部材１６を貫通して配管４、６まで到達してしまうことを抑制することができる。施工者などが誤ってドリルＤＲで配管４、６を傷付けてしまうことを、より確実に抑制することができる。
【００６３】
また、浴室ユニット１０は、浴室壁１２を取り付けるためのフレーム２０と、配管４、６と交差する方向に延び、両端をフレーム２０に取り付けられ、保護部材１６を支持する支持部材２２と、をさらに備えている。これにより、フレーム２０を横切るように取り付けられた支持部材２２に、保護部材１６が支持される。このため、保護部材１６は、支持部材２２に対する取付位置を変更するだけで位置調整が可能であり、配管４、６との位置調整を容易に行うことができる。また、浴室壁１２の裏面１２ｂに対する保護部材１６の向きを意図した状態で規制することができる。例えば、上記のように、角部１６ｔを浴室壁１２の裏面１２ｂ側に向けた状態で保護部材１６を適切に取り付けることができる。さらには、配管４、６を保護部材１６に対して固定し易くすることができる。
【００６４】
図６（ａ）〜図６（ｄ）は、実施形態に係る保護部材の変形例を表す部分断面図である。  
図６（ａ）に表したように、保護部材１６は、第１板部４１と第２板部４２との間に、浴室壁１２の表面１２ａと略平行な第３板部４３をさらに有してもよい。
【００６５】
図６（ｂ）に表したように、保護部材１６の形状は、裏面１２ｂ側に向かって湾曲した半円筒状の形状としてもよい。換言すれば、第１板部４１及び第２板部４２は、平面状の傾斜面を形成する平板状に限ることなく、裏面１２ｂ側に向かって膨らむように湾曲した凸曲面を形成する湾曲した板状でもよい。
【００６６】
このように、保護部材１６の形状は、配管４、６の幅方向の中央側から配管４、６の幅方向の一端側に向かうに従って、浴室壁１２の裏面１２ｂとの間の距離が長くなる任意の形状でよい。
【００６７】
図６（ｃ）に表したように、保護部材１６の形状は、配管４、６の幅方向の一端側から配管４、６の幅方向の他端側に向かうに従って、浴室壁１２の裏面１２ｂとの間の距離が長くなるように傾斜した傾斜面を有する板状でもよい。この場合においても、裏面１２ｂと対向する面は、平面状に限ることなく、凸曲面状などでもよい。
【００６８】
このように、保護部材１６の形状は、配管４、６の幅方向の一端側から配管４、６の幅方向の他端側に向かうに従って、浴室壁１２の裏面１２ｂとの間の距離が長くなる任意の形状でもよい。
【００６９】
図６（ｄ）に表したように、保護部材１６の形状は、浴室壁１２の裏面１２ｂと対向する対向面を傾斜又は湾曲させた形状に限ることなく、対向面を浴室壁１２の表面１２ａ（裏面１２ｂ）と略平行にした形状でもよい。このように、保護部材１６は、浴室壁１２よりもドリルＤＲに対する高い耐性を有し、浴室壁１２の表面１２ａから配管４、６に向かって挿入されたドリルＤＲによる配管４、６への干渉を抑制可能な任意の部材でよい。
【００７０】
例えば、上記実施形態で示したように、両端を支持部材２２に支持された長尺状の金属製の保護部材１６とした場合、保護部材１６に弾性を持たせることができる。この場合、ドリルＤＲの先端ＤＲａが保護部材１６に接触した際に、ドリルＤＲの押圧力によって保護部材１６を弾性変形させることができる。
【００７１】
例えば、図６（ｄ）に表したように、保護部材１６の対向面を浴室壁１２の表面１２ａと略平行とした場合にも、ドリルＤＲの押圧力によって捩れるように弾性変形させることにより、保護部材１６の対向面を表面１２ａに対して傾斜させることができる。これにより、対向面を傾斜又は湾曲させた場合と同様に、ドリルＤＲの先端ＤＲａを配管４、６から離間する方向にガイドすることが可能となる。また、この場合には、保護部材１６の弾性力により、ドリルＤＲの先端ＤＲａをより滑りやすくすることができる。
【００７２】
このように、ドリルＤＲの先端ＤＲａを配管４、６から離間する方向にガイドする構成は、傾斜又は湾曲した対向面に限ることなく、ドリルＤＲの先端ＤＲａを配管４、６から逸らすようにガイド可能な任意の構成でよい。
【００７３】
保護部材１６の形状は、板を折り曲げた形状に限ることなく、ブロック状や柱状などの任意の形状でよい。保護部材１６の形状は、例えば、表面１２ａに対して傾斜した傾斜面を有する三角柱状の形状などでもよい。但し、上記実施形態で示したように、板を折り曲げて保護部材１６を形成することにより、例えば、保護部材１６の部品コストを抑えることができる。また、上記実施形態で示したように、保護部材１６を第１板部４１及び第２板部４２を有する２つ折りの構成とすることにより、第１板部４１と第２板部４２との間に配管４、６の一部を入り込ませることができる。これにより、例えば、建築躯体２の側壁２ｓと浴室壁１２の裏面１２ｂとの間の距離Ｌ１を短くすることができる。空間ＳＰの幅を狭くし、浴室空間ＢＲを広くすることができる。
【００７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室ユニット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
２ 建築躯体、  ４、６ 配管、  １０ 浴室ユニット、  １２ 浴室壁、  １４ 水栓装置、  １６ 保護部材、  ２０ フレーム、  ２２ 支持部材、  ２４ 浴槽、  ２６ 洗い場床、  ２８ 天井パネル、  ３０ ミラー、  ４１ 第１板部、  ４２ 第２板部、  ４３ 第３板部、  ＤＲ ドリル
【図１】
2019005327.tif 000003
【図２】
2019005327.tif 000004
【図３】
2019005327.tif 000005
【図４】
2019005327.tif 000006
【図５】
2019005327.tif 000007
【図６】
2019005327.tif 000008